(57)【特許請求の範囲】
【請求項１】
ドラム収納凹部５を設けてなる容器本体２と、該容器本体２後部に後部を回動可能に連結して容器本体２上面を開閉可能に設けた蓋体３と、上記ドラム収納凹部５に収納嵌合させるとともに、粉末化粧品を充填させるドラム４とを備えた化粧用コンパクト容器に於いて、上記ドラム４を、皿状のドラム本体13と、該ドラム本体13周囲に嵌着固定した枠体16と、上記ドラム本体13及び枠体16間に周縁部を挟持固定させるとともに、内方斜め上方へテーパ状壁22を延設し、且つ、柔軟で弾力性に富む材質で形成した弾性支持部材14と、該弾性支持部材14の内周縁部に外周縁部を固定させたメッシュ15とから構成し、上記弾性支持部材14の弾性変形を伴うメッシュ15の押し下げが可能に構成してなることを特徴とする化粧用コンパクト容器。
【請求項２】
上記メッシュ15上面に圧接して閉塞する押圧板10を蓋体３の裏面より突設してなる請求項１に記載の化粧用コンパクト容器。
【請求項３】
上記弾性支持部材14が、上記ドラム本体13及び枠体16間に挟持固定させた嵌合筒部21上端縁より内方斜め上方へテーパ状壁22を延設するとともに、柔軟で弾力性に富む材質で形成してなる弾性支持部材14であり、上記嵌合筒部21上部外面と枠体16との間に、嵌合筒部21上部が外方へ膨出する如き弾性変形が可能な隙間Ａを設けてなる請求項１記載の化粧用コンパクト容器。
【発明の詳細な説明】
【０００１】
【発明の属する技術分野】
本発明は化粧用コンパクト容器に関し、詳しくは、粉末化粧品を収納するための化粧用コンパクト容器に関する。
【０００２】
【従来の技術】
化粧用コンパクト容器として粉末化粧品を収納するものがあり、これ等は容器本体に設けた収納凹部に粉末化粧品を充填させるドラムを嵌合させている。またこのドラムは上端開口をメッシュで被覆して化粧品の飛散を防止するとともに、使用時にはメッシュから浮き出た化粧品をパフ表面に付着させることにより化粧品粒子の均一化を図り、更に、一度に多量の化粧品がパフに付着することを防止している。
【０００３】
初期にはこのメッシュを網皿状に形成してドラム内に充填されたパウダーの上面に載置し、更にこの網皿の上にパフを載置しておき、使用時にパフを取り出してメッシュ上面に押し付けて使用していた。しかし網皿は単にパウダーの上に載置されているだけであるため、容器の運搬中の振動等により網皿自体がパウダー中に埋没してしまい、極めて使い難いという不都合が生じていた。
【０００４】
その様な点を考慮して、実開昭57‐161908 号公報或いは実公昭62‐14973号公報に記載された容器が提案されている。
【０００５】
前者は、外周に厚手縁部を有する網目体（メッシュ）を有し、この厚手縁部をドラムと容器本体の間に挟持させた嵌着部と伸縮体を介して結合させ、網目体上方よりパフを押し当てることにより、伸縮体が伸びて網目体が下方へ移動可能に構成したものである。従って、非使用時にはパウダー上方に網目体を位置させておくことができて上記の様な不都合を解消できるものである。
【０００６】
また、後者は、容器本体内に環状の枠体を上下動可能に挿入させ、枠体の周縁部に網皿（メッシュ）を保持するとともに、その周縁下部の複数箇所に下方へ略ハ字状に突出する可撓性突片からなる弾性脚を一体に取り付けたものである。
この容器も同様に上記不都合を解消できるものである。
【０００７】
【発明が解決しようとする課題】
しかしながら、これらの容器にはいまだ種々改良の余地を残している。
例えば、前者に於いては、網目体を押し下げた際にドラム上面に位置する伸縮部分が局部的に伸び、また、網目体の押圧を解除すると伸縮部が縮んで元の状態に戻すため、また、この伸縮部はドラム上端縁の角で直角に曲げられて擦られながら伸ばされるため伸縮部に掛かる負担が大き過ぎて耐久性に劣るという欠点がある。
【０００８】
また、後者は、枠体がハ字状の弾性脚で支持されているため、網皿の押圧により各弾性脚を広げて網皿を押し下げる際に、押圧により掛かる力の方向が各脚の接触面と垂直方向に近い方向へ掛かるため脚が広がり難く、また、ドラムが円形の場合には各脚下端が回動しながら広がらなければならず、いずれにしろ押し下げに円滑さを欠く。
【０００９】
また、網皿の押し下げの際に各弾性脚が絡み合う虞がありこの点に於いても作動の円滑さに欠ける。この場合、各一対の開脚角度を小さいものとすれば絡み合いは防止できるが、反面上記した脚の広がりが極めて行い難くなる。
【００１０】
本発明は上記した従来容器の欠点を解消したもので、従来容器の如くメッシュがパウダー中に埋没するという不都合がなく、しかも、メッシュの押し下げ，復帰操作を円滑に行え、また、耐久性にも優れた容器を提案するものである。
【００１１】
【課題を解決するための手段】
第１の手段として、以下の通り構成した。即ち、ドラム収納凹部５を設けてなる容器本体２と、該容器本体２後部に後部を回動可能に連結して容器本体２上面を開閉可能に設けた蓋体３と、上記ドラム収納凹部５に収納嵌合させるとともに、粉末化粧品を充填させるドラム４とを備えた化粧用コンパクト容器に於いて、上記ドラム４を、皿状のドラム本体13と、該ドラム本体13周囲に嵌着固定した枠体16と、上記ドラム本体13及び枠体16間に周縁部を挟持固定させるとともに、内方斜め上方へテーパ状壁22を延設し、且つ、柔軟で弾力性に富む材質で形成した弾性支持部材14と、該弾性支持部材14の内周縁部に外周縁部を固定させたメッシュ15とから構成し、上記弾性支持部材14の弾性変形を伴うメッシュ15の押し下げが可能に構成した。
【００１２】
第２の手段として、以下の通り構成した。即ち、前記第１の手段に於いて、上記メッシュ15上面に圧接して閉塞する押圧板10を蓋体３の裏面より突設した。
【００１３】
第３の手段として、以下の通り構成した。即ち、前記第１の手段に於いて、上記弾性支持部材14が、上記ドラム本体13及び枠体16間に挟持固定させた嵌合筒部21上端縁より内方斜め上方へテーパ状壁22を延設するとともに、柔軟で弾力性に富む材質で形成してなる弾性支持部材14であり、上記嵌合筒部21上部外面と枠体16との間に、嵌合筒部21上部が外方へ膨出する如き弾性変形が可能な隙間Ａを設けた。
【００１４】
【発明の実施の形態】
以下、本発明の実施例の形態を図面を参照して説明する。
本発明の化粧用コンパクト容器１は、容器本体２と、蓋体３と、ドラム４とを備えている。
【００１５】
容器本体２は、ドラム４を収納させるためのドラム収納凹部５を有しており、図１及び図２に示す容器では、左方に平面視円形のドラム収納凹部５を、右方に平面視四角形のパフ収納凹部６を各々穿設し、それぞれ、ドラム４を嵌着固定させるとともに、パフ７を取り出し可能に収納させている。また、前面中央部に穿設した凹部内に係合突起８を突設するとともに、該凹部内に押し釦９を揺動可能に枢着させている。
【００１６】
また、蓋体３は容器本体後部に後部を回動可能に連結して容器本体上面を開閉可能に設けたもので、その裏面左方にはドラム４の上面を圧接する押圧板10を突設し、裏面右方には鏡11を固定している。また、前部中央下面より垂設させたフック12を閉蓋の際に上記係合突起８と係合可能に構成し、閉塞状態を維持可能に構成するとともに、押し釦９の押し込みによりフック12を押し上げて係合の解除を可能に構成している。
【００１７】
ドラム４は、ドラム本体13と、弾性支持部材14と、メッシュ15と、枠体16とから構成している。
【００１８】
ドラム本体13は、周縁部が上方へ傾斜上昇する底壁17周縁部より下方へ周壁18を延設し、該周壁外周下部にフランジ19を延設し、このフランジ19下面を容器本体のドラム収納凹部５底面に当接載置させている。更に、底壁17中央部には化粧品充填用の窓孔を穿設し、該窓孔を底蓋20により閉塞させている。尚、底蓋20は化粧品充填後嵌着し、その周縁部上面を超音波接着等により接着すると良い。
【００１９】
弾性支持部材14は、エラストマー等の柔軟で弾力性に富んだ材質で一体に形成したもので、上記フランジ19内側縁に下面を当接してドラム本体周壁18外周に嵌合させた嵌合筒部21内側上端縁より斜め上方へテーパ状壁22を延設しており、テーパ状壁22内周縁部にリング板状をなし且つ内周縁上面を下方へ陥没させた嵌合凹部23を形成してなる取り付け板部24を一体に延設している。
【００２０】
上記嵌合筒部21の下部は挟持固定させるための肉厚部21a とし、上部は外側が内方へ凹んだ肉薄部21b として構成し、上記嵌合筒部21上部外面と枠体との間に、嵌合筒部上部が外方へ膨出する如き弾性変形が可能な隙間Ａを設けている。
【００２１】
メッシュ15は、例えばナイロン繊維を編む等して形成したもので、弾性支持部材14の内周縁部に外周縁部を固定させてドラム本体上部を被覆する如く構成している。
【００２２】
図示例では、メッシュ15周縁部下面に、リング板25を接着等の適宜固着手段により固定し、上記嵌合凹部23上面とリング板25下面とをインサート成形等の方法で融着固定させている。尚、上記嵌合凹部23はリング板及びメッシュの厚さ分だけ下方へ陥没させ、メッシュ15の上面は上記取り付け板部24上面と略面一に位置する如く構成している。また、このメッシュ15は、蓋体３を閉じた際に、上記押圧板10の下面がその上面に圧接してメッシュ15を閉塞する如く構成している。
【００２３】
枠体16は、周壁26上端縁より内向きフランジ27を延設してなる断面逆Ｌ字状をなす筒体で、周壁26下部内面とドラム本体周壁18との間に嵌合筒部21下部の肉厚部21a を圧接挟持して嵌合するとともに、嵌合筒部上部の肉薄部21b との間には薄肉部21b が外方へ膨出可能な隙間を設けて嵌合し、更に、ドラム本体13の上記フランジ19上面に凹設した環状凹部内に下面より突設した環状凸部を嵌着して固定させている。この周壁26下端とフランジ19とは超音波接着等により接着すると良い。
【００２４】
尚、上記ドラム本体13及び枠体16は弾性支持部材14と比較して剛性を有し、保形性を有する合成樹脂等により形成する。
【００２５】
上記の如く構成した容器１は、例えば、開蓋後パフ７をメッシュ15上方より押圧すると、収納粉末化粧品の残量に応じてテーパ状壁22が弾性変形してメッシュ15が下降し、メッシュ15を介してパフ７に化粧品が付着する。この際テーパ状壁22下部及び嵌合筒部21上部の薄肉部21b が外方へ膨出するとともに、テーパ状壁22は主としてドラム本体周壁上面に形成した突条28を支点として屈曲変形する。パフの押圧を解除すると弾性支持部材の弾性復元力でメッシュ15は元の状態に戻る。
【００２６】
図３は他の実施例を示し、本実施例では外周縁が上方へ傾斜上昇する底壁17周縁より上下に伸びる周壁18を延設し、該周壁18外面下部に突条29を周設してドラム本体13を構成している。また、底壁17下面より突設した二重の短筒30，31を容器本体２のドラム収納凹部底面に当接載置させている。更に、化粧品充填用の窓孔下面には、化粧品充填後、シール材32を貼着等して閉塞する如く構成している。
【００２７】
また、上記突条29上方のドラム本体周壁18外周面から上面に亘って断面逆Ｌ字状をなす嵌合筒部21を嵌合させるとともに、嵌合筒部21内周縁部より内方へ傾斜下降する環状の傾斜壁33を延設し、該傾斜壁33内周縁部より内方斜め上方へテーパ状壁22を延設し、更に、該テーパ状壁内周縁に上記実施例と同様の取り付け板部24を延設して弾性支持部材14を構成している。また、嵌合筒部21内周面に突設した突条をドラム本体周壁外面に凹設した凹溝内に嵌合させてより確かな抜け出し防止を図っている。
【００２８】
更に、上記嵌合筒部21上面に圧接する内向きフランジ27を、嵌合筒部21外周面に圧接する周壁26上端縁より延設するとともに、周壁26内周面下部に周設した突条34をドラム本体13の上記突条29下面に乗り越え係合させ、更に、内向きフランジ27下面内周縁部には、上記傾斜壁33及びテーパ状壁22上の環状凹部内に垂下する断面三角形状の突条35を周設して枠体16を構成している。
【００２９】
本実施例では、上記実施例と同様ドラム本体13及び枠体16を弾性支持部材14と比較して剛性を有する合成樹脂により形成させており、ドラム本体13に弾性支持部材14を嵌合させ、次いで上方から枠体16を押し下げ嵌合させれば簡単に組み付けすることができ、しかも組み付けされた本体及び枠体は、弾性支持部材14の弾力性によりしっかりと確実に固定される如く構成している。
【００３０】
その他の構成は上記実施例と同様であるため、説明を省く。
本実施例の容器１も上記実施例容器１と同様に、例えば、開蓋後パフ７をメッシュ上方より押圧すると、収納粉末化粧品の残量に応じてテーパ状壁22が弾性変形してメッシュ15が下降し、メッシュ15を介してパフ７に化粧品が付着する。この際傾斜壁33は下端縁を外方へ広げる如く弾性変形するとともに、テーパ状壁22は主として傾斜壁33との連結縁部を略中心として屈曲変形する。また、同様にパフの押圧を解除すると弾性支持部材の弾性復元力でメッシュ15は元の状態に戻る。
【００３１】
【発明の効果】
以上説明した如く本発明容器は、ドラム本体及び枠体間に周縁部を挟持固定させるとともに、内方斜め上方へテーパ状壁を延設し、且つ、柔軟で弾力性に富んだ材質で形成した弾性支持部材を設け、この支持部材の内周縁部に外周縁部固定させてメッシュを張設させ、弾性支持部材の弾性変形を伴うメッシュの押し下げが可能に構成したので、収納粉末化粧品の量が減少しても最後まで略残らず使用することができるとともに、テーパ状壁を含む弾性支持部材は弾性変形可能であるため、従来の局部的に伸縮する部分を有するものと比較して度重なる使用にあっても損傷等の不都合を生じ難く、耐久性に優れたものである。また、その押し下げ操作を円滑に行える効果を併せ持つ。
【００３２】
また、メッシュ上面に圧接してメッシュを閉塞する押圧板を蓋体裏面より突設したものにあっては、非使用時の持ち運び等の際に容器に振動等が生じても化粧品がメッシュ上部に漏出する等の不都合を防止できる。
【００３３】
また、上記弾性支持部材を、容器本体及び枠体間に挟持固定させた嵌合筒部上端縁より内方斜め上方へテーパ状壁を延設するとともに、柔軟で弾力性に富む材質で形成してなる弾性支持部材として構成し、上記嵌合筒部上部外面と枠体との間に、嵌合筒部上部が外方へ膨出する如き弾性変形が可能な隙間Ａを設けてなるものにあっては、メッシュを押し下げた際のテーパ状壁の弾性変形が無理なく行えて、メッシュの上下動をより円滑に行えるととにも、弾性支持部材の耐久性も更に向上する。
【図面の簡単な説明】
【図１】  本発明の一実施例を示す開蓋状態の斜視図である。
【図２】  同実施例の要部縦断面図である。
【図３】  本発明の他の実施例を示す要部縦断面図である。
【符号の説明】
２…容器本体，３…蓋体，４…ドラム，５…ドラム収納凹部，
10…押圧板，13…ドラム本体，14…弾性支持部材，15…メッシュ，
16…枠体，22…テーパ状壁
【図１】
0003865144.tif 000002
【図２】
0003865144.tif 000003
【図３】
0003865144.tif 000004